(57)【要約】【課題】通常の着信履歴記録を妨げることなく、迷惑電話の着信履歴を効率的に記録する。【解決手段】通常の着信電話番号を記録する通常着信履歴記録エリア６とは別に、迷惑電話の着信電話番号を記録する迷惑電話着信履歴記録エリア７を設ける。迷惑電話番号テーブル３に、予め迷惑電話番号を設定しておく。着信電話番号が迷惑電話番号テーブル３中の電話番号と一致するか否かを判定する。判定結果に基づいて着信電話番号を格納する履歴記録エリアを選択する。通常の着信であれば、SRAMの通常着信履歴記録エリア６に記録する。迷惑電話の着信であれば、フラッシュメモリの迷惑電話着信履歴記録エリア７に記録する。迷惑電話着信履歴記録エリア７が満杯になると、着信履歴編集手段８で迷惑電話着信履歴を編集して圧縮する。【選択図】図１
2006279366.tif 000002
【特許請求の範囲】
【請求項１】
通常の着信電話番号を記録する通常着信履歴記録エリアと、迷惑電話の着信電話番号を記録する迷惑電話着信履歴記録エリアと、予め電話番号を設定した迷惑電話番号テーブルと、着信電話番号が前記迷惑電話番号テーブル中の電話番号と一致するか否かを判定する比較判定手段と、前記比較判定手段による判定結果に基づいて着信電話番号を格納する着信履歴記録エリアを選択する手段とを具備することを特徴とする電話装置。
【請求項２】
前記迷惑電話着信履歴記録エリアは、電池バックアップ不用な不揮発性のフラッシュメモリ領域であり、前記通常着信履歴記録エリアは、電池バックアップ付のＳＲＡＭ領域であることを特徴とする請求項１記載の電話装置。
【請求項３】
前記迷惑電話着信履歴記録エリアに記録された迷惑電話着信履歴記録を、前記迷惑電話番号テーブルの電話番号に従って編集して圧縮する着信履歴編集手段を備えたことを特徴とする請求項１記載の電話装置。
【発明の詳細な説明】
【技術分野】
【０００１】
本発明は、電話装置に関し、特に、迷惑電話の着信履歴を通常の着信履歴と区別して記録する電話装置に関する。
【背景技術】
【０００２】
ボタン電話の機能の一つとして、着信時に通知された発信者電話番号と着信時刻を記録する着信記録がある。また、特定の電話番号を着信拒否電話番号として設定しておき、その番号の電話からの着信を拒否する着信拒否機能もある。あるいは、特定の電話番号を着信許可電話番号として設定しておき、その番号からの着信のみを許可する着信許可機能もある。これらの機能を組み合わせて、予め着信拒否番号を設定しておき、着信時に通知された発信者電話番号と比較し、不一致の時のみ着信履歴に格納することができる。また、着信許可番号と一致する時のみ着信履歴に格納することもできる。このような技術の従来例として、次のものがある。
【０００３】
特許文献１に開示された「着信履歴データの格納方法」は、必要な着信電話データのみを着信履歴エリアに格納することのできる着信履歴データの格納方法である。着信履歴エリアに着信電話データを格納することを拒否する発信者電話番号を予め拒否特定番号として登録する。着信時に通知された発信者電話番号と拒否特定番号とを比較し、不一致時のみに着信電話データの格納を行う。
【特許文献１】特開2001-217919号公報
【発明の開示】
【発明が解決しようとする課題】
【０００４】
しかし、上記従来の着信履歴記録方法では、以下のような問題がある。着信拒否の対象とした番号の電話からの着信履歴を記録せず、また、着信許可の対象とした番号の電話からの着信以外の着信履歴を記録しておかないと、当然のことながら、記録しておかなかった着信については、後で確認したり統計をとったりすることができない。
【０００５】
また、すべての着信履歴を記録しようとすれば、通常の着信履歴の記録容量は100件とか200件程度であるので、迷惑電話が頻繁にある場合には、すぐに記録エリアが満杯になってしまうという不具合がある。
【０００６】
本発明の目的は、上記従来の問題を解決して、迷惑電話の着信履歴を含めたすべての着信履歴を、必要最低限の条件のもとで記録することである。
【課題を解決するための手段】
【０００７】
上記の課題を解決するために、本発明では、電話装置を、通常の着信電話番号を記録する通常着信履歴記録エリアと、迷惑電話の着信電話番号を記録する迷惑電話着信履歴記録エリアと、予め電話番号を設定した迷惑電話番号テーブルと、着信電話番号が迷惑電話番号テーブル中の電話番号と一致するか否かを判定する比較判定手段と、比較判定手段による判定結果に基づいて着信電話番号を格納する着信履歴記録エリアを選択する手段とを具備する構成とした。また、迷惑電話着信履歴記録エリアは、電池バックアップ不用な不揮発性のフラッシュメモリ領域とし、通常着信履歴記録エリアは、電池バックアップ付のSRAM領域とした。さらに、迷惑電話着信履歴記録エリアに記録された迷惑電話着信履歴記録を、迷惑電話番号テーブルの電話番号に従って編集して圧縮する着信履歴編集手段を備えた。
【発明の効果】
【０００８】
上記のように、迷惑電話の着信履歴を通常の着信履歴と分けて記録する構成としたことにより、多数の迷惑電話の着信履歴で通常の着信履歴の記録が妨げられることがなく、通常の着信履歴の記録件数が十分に確保できる。また、迷惑電話の対策のために有効な記録を長期間蓄えることができる。
【発明を実施するための最良の形態】
【０００９】
以下、本発明を実施するための最良の形態について、図１〜図３を参照しながら詳細に説明する。
【実施例】
【００１０】
本発明の実施例は、予め迷惑電話の番号を迷惑電話番号テーブルに設定しておき、着信電話番号が迷惑電話番号テーブル中の電話番号と一致した場合は、迷惑電話の着信電話番号を、フラッシュメモリの迷惑電話着信履歴記録エリアに記録し、通常の着信電話番号は、SRAMの通常着信履歴記録エリアに記録する電話装置である。
【００１１】
図１は、本発明の実施例における電話装置の着信履歴記録関連部分の機能的な構成を示す概念図である。図１において、着信手段１は、電話回線９からの着信を検出する手段である。発信者番号抽出手段２は、着信信号から発信者電話番号を抽出する手段である。迷惑電話番号テーブル３は、迷惑電話の番号を設定した電話番号表である。比較判定手段４は、発信者電話番号と迷惑電話番号テーブル３中の電話番号とを比較し、一致するものがあるか否かを判定する手段である。着信履歴書込手段５は、比較判定手段４の判定結果に従って、発信者電話番号と着信時刻を、いずれかのメモリに記録する手段である。通常着信履歴記録エリア６は、通常の着信履歴を記録するSRAMの記録エリアである。迷惑電話着信履歴記録エリア７は、迷惑電話の着信履歴を記録するフラッシュメモリの記録エリアである。着信履歴編集手段８は、迷惑電話着信履歴を編集して圧縮する手段である。
【００１２】
図２は、電話装置の着信履歴記録の処理手順を示す流れ図である。図３は、電話装置での着信履歴記録方法の例を示す表である。図３（ａ）は、通常の着信履歴と迷惑電話の着信履歴の記録方法の例を示す表である。図３（ｂ）は、迷惑電話の発信者番号からなる迷惑電話番号テーブルの例を示す表である。図３（ｃ）は、迷惑電話着信履歴を圧縮した例を示す表である。
【００１３】
上記のように構成された本発明の実施例における電話装置の動作を説明する。最初に、図１を参照しながら、電話装置の機能の概略を説明する。迷惑電話番号テーブル３には、予め迷惑電話の番号を設定しておく。着信手段１で、電話回線９からの着信を検出すると、発信者番号抽出手段２は、着信信号から発信者電話番号を抽出する。比較判定手段４は、発信者電話番号と迷惑電話番号テーブル３中の電話番号とを比較し、一致するものがあるか否かを判定する。比較判定手段４の判定結果に従って、着信履歴書込手段５は、発信者電話番号と着信時刻をいずれかのメモリに記録する。通常の着信であれば、SRAMの記録エリアである通常着信履歴記録エリア６に記録する。迷惑電話の着信であれば、フラッシュメモリの記録エリアである迷惑電話着信履歴記録エリア７に記録する。迷惑電話着信履歴記録エリア７が満杯になると、着信履歴編集手段８で迷惑電話着信履歴を編集して圧縮する。
【００１４】
次に、図２の流れ図を参照しながら、電話装置の動作手順を説明する。ステップ１において、着信があるかどうか検査する。着信があれば、ステップ２において、迷惑電話番号テーブルを参照して、迷惑電話番号か否かを検査する。迷惑電話番号であれば、ステップ３において、迷惑電話番号エリアに着信電話番号を記録する。迷惑電話番号でなければ、ステップ４において、通常電話番号エリアに着信電話番号を記録する。着信電話番号の記録が終了すると、着信が無い場合と同様に、ステップ５において、その他のボタン電話機処理を行う。
【００１５】
次に、図３を参照しながら、着信履歴の記録方法と圧縮方法を説明する。着信履歴は、図３（ａ）に示す表のように記録する。通常の着信履歴も迷惑電話の着信履歴も同様に記録する。迷惑電話の発信者番号からなる迷惑電話番号テーブルを、図３（ｂ）のように作成して、予めメモリに格納しておく。着信電話番号が迷惑電話番号テーブル中の電話番号と一致すれば、迷惑電話の着信電話番号を、フラッシュメモリの迷惑電話着信履歴記録エリアに記録する。通常の着信電話番号は、電池バックアップ付のSRAMの通常着信履歴記録エリアに記録する。通常着信の履歴が満杯になると、利用者に通知する。利用者の消去操作で、着信履歴を消すことができる。着信履歴を消す前に新たな着信があったときは、最も古い着信履歴を消して、新しい着信履歴を書き込む。
【００１６】
迷惑電話着信履歴記録エリアが満杯になると、満杯になったことを利用者に通知する。利用者は、消去操作で消すこともできるし、処理方法を指示して、所望の処理を行うこともできる。迷惑電話着信履歴記録エリアが満杯になった状態で、新たな着信があったときは、予め設定した処理方法で更新する。第１の処理方法では、最も古い着信履歴記録を消して、新しい着信履歴を書き込む。常に最新の着信履歴が記録された状態にしておくことができる。第２の処理方法では、最新の着信履歴記録に上書きして書き込む。古い着信履歴記録が残るので、いつから迷惑電話があったのかわかる。
【００１７】
第３の処理方法では、電話番号単位に日または月の件数のみに編集して記録する。最も古い着信履歴記録から順に圧縮して消して、新しい着信履歴を書き込む。着信の詳細は分からなくても、誰からいつどれ位かかってきたかわかる。満杯になる度に編集して圧縮してもよいし、毎日あるいは毎週というように、定期的に編集してもよい。通常では、図３（ａ）のように、発信者番号と着信日時を記録するが、迷惑電話着信履歴を圧縮する場合は、図３（ｃ）のように、迷惑電話番号テーブル上のリスト番号（01〜99）に対して、月ごとの着信件数を並べて記録する。この例では、リスト番号01の迷惑電話が、2005年１月に５件あり、２月に３件あったことを示している。日ごとあるいは週ごとにまとめてもよい。
【００１８】
上記のように、本発明の実施例では、電話装置を、予め迷惑電話の番号を迷惑電話番号テーブルに設定しておき、着信電話番号が迷惑電話番号テーブル中の電話番号と一致した場合は、迷惑電話の着信電話番号を、フラッシュメモリの迷惑電話着信履歴記録エリアに記録し、通常の着信電話番号は、SRAMの通常着信履歴記録エリアに記録する構成としたので、通常の着信履歴の記録可能件数を十分確保でき、迷惑電話の対策のために有効な記録を長期間蓄えることができる。
【産業上の利用可能性】
【００１９】
本発明の電話装置は、迷惑電話の着信履歴を通常の着信履歴と区別して記録する電話装置として最適である。
【図面の簡単な説明】
【００２０】
【図１】本発明の実施例における電話装置の着信履歴記録関連部分の機能的な構成を示す概念図である。
【図２】本発明の実施例における電話装置の着信履歴記録の処理手順を示す流れ図である。
【図３】本発明の実施例における電話装置の着信履歴記録方法の例を示す表である。
【符号の説明】
【００２１】
１・・・着信手段、２・・・発信者番号抽出手段、３・・・迷惑電話番号テーブル、４・・・比較判定手段、５・・・着信履歴書込手段、６・・・通常着信履歴記録エリア、７・・・迷惑電話着信履歴記録エリア、８・・・着信履歴編集手段、９・・・電話回線。
【図１】
2006279366.tif 000003
【図２】
2006279366.tif 000004
【図３】
2006279366.tif 000005